(57)【要約】【課題】冷房運転と給排気同時運転時の室内環境を良好に維持することが出来る一体型空気調和機を提供する。【解決手段】筐体前面に室内吸込口６と室内吹出口７を、筐体背面に室外吸込口１９と室外吹出口２０を備え、前記筐体内の室内吸込口６と室内吹出口７との間の室内通風路１６には室温センサ３５と蒸発器１４と室内ファン１５を設けると共に、前記筐体内の室外吸込口１９と室外吹出口２０との間の室外通風路２１には凝縮器１７と室外ファン１８を設け、前記室内通風路１６の下方には、圧縮機２等を収納する機械室４を備えた一体型空気調和機で、前記室内吹出口７の下方に連接して室外空気を室内に給気する給気口２４を設けると共に、前記給気口２４からは離れた筐体前面下部には室内空気を室外に排気する排気口２９を設け、室外よりの空気及び冷風は、直ぐに下に落ちることなく吹出された高さのまま遠くまで届き、良好な同時給排気と共に冷房が行われる。【選択図】図２
2008281261.tif 000002
【特許請求の範囲】
【請求項１】
筐体前面に室内吸込口と室内吹出口を、筐体背面に室外吸込口と室外吹出口を備え、前記筐体内の室内吸込口と室内吹出口との間の室内通風路には室温センサと蒸発器と室内ファンを設けると共に、前記筐体内の室外吸込口と室外吹出口との間の室外通風路には凝縮器と室外ファンを設け、前記室内通風路の下方には、圧縮機等を収納する機械室を備えた一体型空気調和機に於いて、前記室内吹出口の下方に連接して室外空気を室内に給気する給気口を設けると共に、前記給気口からは離れた筐体前面下部には室内空気を室外に排気する排気口を設け、室内の冷房運転と共に同時給排気運転を行う事を特徴とする一体型空気調和機。
【発明の詳細な説明】
【技術分野】
【０００１】
この発明は、窓に取り付けられて使用される一体型空気調和機に関するものである。
【背景技術】
【０００２】
従来例として、室内の壁に設置されるセパレートエアコンでは、室内機と室外機の間を接続する冷媒配管が壁を貫通する据付け穴が設けられ、この据付け穴とは別に換気用のダクトが貫通する換気穴が設けられ、室内機に内蔵された換気専用のファンによって給排気を行うものも有った。（例えば、特許文献１参照）
【０００３】
又窓に取り付けられて使用される一体型空気調和機は、セパレ−トエアコンのような大がかりな設置工事が不用で、使用者自身でも簡単に取り付けが出来て、取り扱いが容易であり、又空調制御についても、一定能力の圧縮機を使用して、設定室温と検出室温との偏差で空調運転をＯＮ−ＯＦＦ、即ち空調運転を行う圧縮機と室外ファンを停止させ、室内ファンのみを継続駆動させて室内温度を調整するものであった。
更に、近年背面を室外に出さず室内側に空気調和機全体を収納した薄形背面吸排気タイプのものが数多く生産されている。そして、使用者が誤って空気調和機背面の窓を閉めた状態で運転をした場合に室外側の吸排気におけるショートサーキットを防止するため、室外側の吸込空気の温度を検出して圧縮機の運転を停止する窓閉め検知装置を備えたものだった。（例えば、特許文献２参照）
【特許文献１】特開２０００−２４９３６５号公報
【特許文献２】特公昭６３−６５８５８号公報
【発明の開示】
【発明が解決しようとする課題】
【０００４】
しかしながら、前者のセパレートエアコンでは据付け穴と換気穴の２つの穴が必要であるために据付け工事が大がかりになり、据付け工事が煩雑になるものであった。更に給気口は冷気の吹出口近傍ではあるが、横に形成されているので、吹出される冷風への影響はまったくないものである。
又後者の一体型空気調和機は据付け工事は簡単であるが、同時給排気をすることができないものであった。
【課題を解決するための手段】
【０００５】
この発明はこの点に着目し、上記欠点を解決する為、特にその構成を、筐体前面に室内吸込口と室内吹出口を、筐体背面に室外吸込口と室外吹出口を備え、前記筐体内の室内吸込口と室内吹出口との間の室内通風路には室温センサと蒸発器と室内ファンを設けると共に、前記筐体内の室外吸込口と室外吹出口との間の室外通風路には凝縮器と室外ファンを設け、前記室内通風路の下方には、圧縮機等を収納する機械室を備えた一体型空気調和機に於いて、前記室内吹出口の下方に連接して室外空気を室内に給気する給気口を設けると共に、前記給気口からは離れた筐体前面下部には室内空気を室外に排気する排気口を設け、室内の冷房運転と共に同時給排気運転を行うものである。
【発明の効果】
【０００６】
この発明によれば、給気口が室内吹出口の下方に連接して設けられているので、給気口からの室外空気は夏季で温度上昇しており、直ぐに部屋の上部へ上昇しようとするが、吹出口からの冷風がこの上昇を上から押さえ込むものであり、又逆に上の冷風は直ぐに降下しようとするが、給気口からの室外空気がこの降下を下から押さえ込むものであり、この相反する二つの気流の相乗効果により、室外よりの新鮮な空気及び吹出口からの冷風は、直ぐに下に落ちることなく吹出された高さのまま遠くまで届き、良好な同時給排気と共に冷房が行われるものである。
【発明を実施するための最良の形態】
【０００７】
次に、この発明に係るウインドエアコンを図面に示された一実施形態で説明する。
１はベ−スでこのベ−ス１上に圧縮機２及び電装部３等を収納する機械室４が設けられている。
５は前面パネルで、前面中央にスリット状縦長に設けた室内吸込口６と、この吸込口６の右隣に縦長の室内吹出口７を備えている。
【０００８】
前記室内吹出口７の下方には運転スイッチ８や室温設定スイッチ９や給排気運転スイッチ１０等のスイッチ類やリモコン（図示せず）の受信部１１を備えた操作部１２を設けている。
【０００９】
この前面パネル５内の前記機械室４上方は、中央の隔壁１３によって室内側と室外側に仕切られ、室内側には蒸発器１４、室内ファン１５等が設けられ、前記室内吸込口６と蒸発器１４と室内ファン１５と室内吹出口７を連通して室内通風路１６が形成され、室外側には凝縮器１７、室外ファン１８等が設けられ、背面に設けた室外吸込口１９と前記凝縮器１７と室外ファン１８と室外吹出口２０を連通して室外通風路２１を形成している。
【００１０】
又前記機械室４と室内通風路１６は上下仕切板２２によって隔てられ、この上下仕切板２２上に室内モータ２３やドレンパン（図示せず）を固定している。
【００１１】
２４は前記室内吹出口７の下方に連接し、操作部１２の間の前面パネル５に設けた室外空気を室内に給気する給気口で、背面下部に設けた給気流入口２５と給気モータ２６で駆動する給気ファン２７を介して連通し給気通風路２８を形成している。
【００１２】
２９は前記給気口２４と縦長の操作部１２を介して前面パネル５下部に設けられた室内空気を室外に排出する排気口で、前記給気流入口２５とより下方の背面下部に設けられた排気流出口３０と、排気モータ３１で駆動される排気ファン３２を介して連通し排気通風路３３を形成している。
【００１３】
３４は前記給気流入口２５の近傍に設けられた外気温センサで、屋外空気の温度をサーミスタセンサ等によって感知するものである。
３５は前記室内吸込口６の内側の室内通風路１６に設けられた室温センサで、室内空気の温度をサーミスタセンサ等によって感知するものである。
【００１４】
前記電装部３にはマイコン等から成る制御装置３６を備え、この制御装置３６の入力側には、前記運転スイッチ８及び希望する設定室温をセットする室温設定スイッチ９、給排気運転スイッチ１０や外気温センサ３４や室温センサ３５が接続されている。
【００１５】
３７は前記制御装置３６内に備えた室温制御手段で、前記室温設定スイッチ９にて設定された設定室温と室温センサ３５にて検知された現在室温との温度差に応じて、圧縮機２をＯＮ−ＯＦＦ運転することで室温の調節を行うものである。
３８は前記室外ファン１８を駆動する室外モータである。
【００１６】
前記制御装置３６の出力側には、圧縮機２や室内モータ２３、給気モータ２６、排気モータ３１、室外モータ３８がそれぞれ接続され、給排気運転スイッチ１０のＯＮ操作で給気モータ２６及び排気モータ３１が同時に駆動開始し、同時給排気運転が行われるものである。
【００１７】
次にこの一実施形態の作動について説明すれば、操作部１２又はリモコンの運転スイッチ８の操作によって冷房運転が開始され、圧縮機２、室内ファン１５、室外ファン１８が運転することで、冷凍サイクル内に冷媒が循環し、蒸発器１４は低温になり凝縮器２は高温なり、室内吸込口６から吸い込まれた空気を蒸発器１４にて冷却し、室内吹出口７から冷風として室内に吹き出されて室内を冷房するものであり、室外側では室外吸込口１９から吸い込まれた外気で高温の凝縮器２を冷却するものである。
【００１８】
更に給排気運転スイッチ１０がＯＮ操作されることにより、給気モータ２６及び排気モータ３１が同時に駆動開始することで、先ず給気ファン２７の作動で給気流入口２５から屋外の新鮮な空気が吸引されて給気通風路２８を通り、給気口２４から夏季で温度は稍高めの新鮮な空気が室内に供給されるものである。
【００１９】
又上記室内への給気と同時に、排気ファン３２の作動で室内の空気を排気口２９に吸引し、排気通風路３３を通して背面の排気流出口３０から室外である屋外に放出して、室内の汚れた空気を排出して室内環境を良好なものにするものである。
【００２０】
そしてこの時、室内吹出口７からの冷風と、給気口２４からの給気とが同時に吹き出されること、及び給気口２４が室内吹出口７の下方に連接して設けられているので、給気口２４からの室外空気は夏季で温度上昇しており、吹き出し後直ぐに部屋の上部へ上昇しようとするが、室内吹出口７からの冷風がこの上昇を上から押さえ込むこととなり、又逆に上の冷風は室内吹出口７から吹き出されて直ぐに降下しようとするが、給気口２４からの室外空気がこの降下を下から押さえ込むこととなり、この相反する二つの気流の相乗効果により、室外よりの新鮮な空気及び室内吹出口７からの冷風は、直ぐに下に落ちることなく吹き出された高さのまま遠くまで届き、良好な同時給排気と共に冷房が行われるものである。
【図面の簡単な説明】
【００２１】
【図１】この発明一実施例の正面図。
【図２】同側面の概略断面図。
【図３】同室内通風路と室外通風路の平面の概略断面図。
【図４】同機械室と室外通風路の平面の概略断面図。
【図５】同排気通風路の平面の概略断面図。
【図６】同制御回路を示すブロック図。
【符号の説明】
【００２２】
２  圧縮機
４  機械室
６  室内吸込口
７  室内吹出口
１４  蒸発器
１５  室内ファン
１６  室内通風路
１７  凝縮器
１８  室外ファン
１９  室外吸込口
２０  室外吹出口
２１  室外通風路
２４  給気口
２９  排気口
３５  室温センサ
【図１】
2008281261.tif 000003
【図２】
2008281261.tif 000004
【図３】
2008281261.tif 000005
【図４】
2008281261.tif 000006
【図５】
2008281261.tif 000007
【図６】
2008281261.tif 000008